(57)【要約】【課題】センタタンク方式の車両において、給油性能と耐衝突性との両立を図ること。【解決手段】センタタンク方式の車両において、給油口や燃料フィラーパイプの配置を工夫するなどして、給油性能と耐衝突性との両立を図ることである。【課題を解決するための手段】車室の前列シート１６の床下部に燃料タンク３０が配置されたセンタタンク方式の車両の給油口・燃料フィラーパイプの配置構造において、給油口３１を前輪上方の車体側面に設け、燃料フィラーパイプ３２を燃料タンク３０より給油口３１に向けて車体前方に延設する。【選択図】図１
2009083823.tif 000002
【特許請求の範囲】
【請求項１】
車室の前列シートの床下部に燃料タンクが配置されたセンタタンク方式の車両の給油口・燃料フィラーパイプの配置構造であって、
給油口が前輪上方の車体側面に設けられ、燃料フィラーパイプが前記燃料タンクより前記給油口に向けて車体前方に延設されて前記燃料タンクと前記給油口とを接続していることを特徴とする給油口・燃料フィラーパイプの配置構造。
【請求項２】
前記燃料フィラーパイプは、車体前後方向に延びる車体構成部材の内側に沿って延在してもう一つの車体構成部材であるフロントホイールハウスの車体後方側に至り、これより前記フロントホイールハウスに沿って延在していることを特徴とする請求項１に記載の給油口・燃料フィラーパイプの配置構造。
【発明の詳細な説明】
【技術分野】
【０００１】
本発明は、車両の給油口・燃料フィラーパイプの配置構造に関し、特に、センタタンク方式の自動車の給油口・燃料フィラーパイプの配置構造に関する。
【背景技術】
【０００２】
自動車等の車両において、燃料タンクが、運転席および助手席（前列シート）の床下部（フロアパネル下底面）配置されたセンタタンク方式のものがある（例えば、特許文献１、２、３）。
【０００３】
センタタンク方式の車両においても、従来のものは、給油口の配置が、燃料タンクが車体後方に配置されているものと同様に、リアサイドパネルやリヤフェンダ等の車体後部（後輪近傍）とされ、当該給油口と燃料タンクとを接続する燃料フィラーパイプが燃料タンクより給油口に向けて車体後方に延設されている（例えば、特許文献２、３）。
【０００４】
このほか、センタタンク方式の車両において、センタピラー（Ｂピラー）に給油口が設けられ、当該給油口と燃料タンクとを短い燃料フィラーパイプで接続したものがある（例えば、特許文献１）。
【特許文献１】実開昭５０−７７９２４号公報
【特許文献２】特許第３７６５９４７号公報
【特許文献３】特開２００５−５３３２３号公報
【発明の開示】
【発明が解決しようとする課題】
【０００５】
給油口が車体後部（後輪近傍）に設置されているものでは、燃料フィラーパイプを、フロアトンネル部やサイドシル内側に沿わせて配置するなどして、横衝突を含む衝突に強いパイプ配置にすることができるが、燃料タンクの配置位置からして給油口が燃料タンクより離れ、これに応じて燃料フィラーパイプのパイプ長が長くなり、給油性能が、燃料フィラーパイプのパイプ長が短いものに比して悪くなる。
【０００６】
給油口がセンタピラーに設置されているものでは、給油口が車体後部に設置されているものに比して燃料フィラーパイプのパイプ長が短くなるが、センタピラーの前後にドア開口があるため、給油前後に、燃料が車室内にこぼれる虞があり、また、給油中に、ガソリン臭が車室内に入り易いと云う欠点がある。
【０００７】
本発明が解決しようとする課題は、センタタンク方式の車両において、給油口や燃料フィラーパイプの配置を工夫するなどして、給油性能の向上と、給油時の燃料の車室内こぼれ・ガソリン臭侵入防止との両立を図ることである。
【課題を解決するための手段】
【０００８】
本発明による車両の給油口・燃料フィラーパイプの配置構造は、車室の前列シートの床下部に燃料タンクが配置（センタ配置）されたセンタタンク方式の車両の給油口・燃料フィラーパイプの配置構造であって、給油口が前輪上方の車体側面に設けられ、燃料フィラーパイプが前記燃料タンクより前記給油口に向けて車体前方に延設されて前記燃料タンクと前記給油口とを接続している。
【０００９】
本発明による車両の給油口・燃料フィラーパイプの配置構造は、好ましくは、前記燃料フィラーパイプは、サイドシル、フロアフレーム等、車体前後方向に延びる車体構成部材の内側に沿って延在してもう一つの車体構成部材であるフロントホイールハウスの車体後方側に至り、これより前記フロントホイールハウスに沿って延在している。
【発明の効果】
【００１０】
本発明による車両の給油口・燃料フィラーパイプの配置構造によれば、給油口が前輪上方の車体側面に設けられているから、センタ配置の燃料タンクと給油口とを接続する燃料フィラーパイプのパイプ長が、給油口が後輪近傍に設定されているものに比して短くなり、給油性能が改善される。併せて、給油口がドア開口より離れた前輪近傍にあることにより、給油時の燃料の車室内こぼれが生じることがなく、車室内へのガソリン臭侵入も生じ難くなる。
【００１１】
また、燃料フィラーパイプが、サイドシル、フロアフレーム、フロントホイールハウス等の車体構成部材に沿って設けられていることにより、接地、石はねから、燃料フィラーパイプが守られ、余分な部品を省略でき、併せて省スペースが図られる。
【発明を実施するための最良の形態】
【００１２】
以下に、本発明による車両の給油口・燃料フィラーパイプの配置構造の実施形態を、図１、２を参照して説明する。
【００１３】
まず、これらの図に基づいて車体構成について概説する。これらの図において、１１はサイドパネル全体を、１２は前輪を、１３は後輪を、１４はフロントドアを、１５はリアドアを、１６は前列シート（運転席と助手席）を、１７は後列シートを、１８はフロントピラー（Ａピラー）を、１９はセンタピラー（Ｂピラー）を、２０、２１は左右のサイドシルを、２２、２３はフロントフレームを、２４はフロアパネルを、２５はダッシュボードロアを、２６、２７はダッシュボードロア２５に一体形成された左右のフロントホイールハウス（後部）を各々示している。
【００１４】
前列シート１６の床下部には燃料タンク３０が配置されている。これを、センタ配置の燃料タンクと云う。詳細には、燃料タンク３０は、前列シート１６の下方位置で、左右のサイドシル２０、２１間にあってフロアパネル２４の下底面に設置されている。燃料タンク３０は、合成樹脂等により構成されていて比較的扁平な箱状をなしており、タンク上面はフロアパネル２４の対応部分の形状に倣った凹凸形状になっている。
【００１５】
前輪上方の車体側面には燃料タンク３０に対する燃料の給油口３１が設けられている。換言すると、給油口３１は、助手席側のセンタピラー１８の根本部（下部）近傍、つまり、衝突に対して安全な前輪１２の近傍のフロントフェンダ部分に設けられている。
【００１６】
給油口３１は燃料フィラーパイプ３２によって燃料タンク３０に連通接続されている。燃料フィラーパイプ３２は、燃料タンク３０の前面部より給油口３１に向けて車体前方に延設され、燃料タンク３０と給油口３１とを連通接続している。
【００１７】
より詳細には、燃料フィラーパイプ３２は、燃料タンク３０より車体前後方向に延びる車体構成部材である左右のサイドシルのうちの片側（助手席側）のサイドシル２０と助手席側のフロントフレーム２２との間を車幅方向に略水平に延在し（部分３２Ａ）、その後、サイドシル２０の内側に沿って略水平に延在し（部分３２Ｂ）、車体構成部材であるフロントホイールハウス２６の車体後方側に至り、これよりフロントホイールハウス２６に沿って上下方向に湾曲して延在し（部分３２Ｃ）、これの延在端（上側端）より略鉛直に立ち上がって（部分３２Ｄ）給油口３１に接続されている。
【００１８】
上述したように、給油口３１が前輪上方の車体側面に設けられているから、センタ配置の燃料タンク３０と給油口３１とを接続する燃料フィラーパイプ３２のパイプ長が、給油口が後輪近傍に設定されているものに比して短くなる。このことにより、給油性能が改善される。
【００１９】
併せて、給油口３１がドア開口より離れた前輪近傍にあることにより、給油時の燃料の車室内こぼれが生じることがなく、車室内へのガソリン臭侵入も生じ難くなる。
なくなる。
【００２０】
更には、燃料フィラーパイプ３２が車体構成部材であるフロントフレーム２２やフロントホイールハウス２６に沿って配管されることにより、これら車体構成部材が燃料フィラーパイプ３２のプロテクタとして機能する。このことにより、特別なプロテクタを設けることなく、燃料フィラーパイプ３２が、接地、石はね等より保護される。これにより、余分な部品を省略でき、併せて省スペースが図られる。
【００２１】
なお、上述の実施形態では、給油口３１を助手席側の前輪上方に設置したが、本発明はこれに限られることはなく、給油口３１は運転席側の前輪上方に設置されてもよい。また、燃料フィラーパイプ３２の部分３２Ｂは、フロントフレーム２２やビード形状部材等、サイドシル２０以外の車体前後方向に延びる車体構成部材に沿って設けられていてもよい。
【図面の簡単な説明】
【００２２】
【図１】本発明による車両の給油口・燃料フィラーパイプの配置構造が適用された自動車の一つの実施形態を示す全体側面図である。
【図２】本発明による車両の給油口・燃料フィラーパイプの配置構造の一つの実施形態を示す斜視図である。
【符号の説明】
【００２３】
１１  サイドパネル
１２  前輪
１３  後輪
１４  フロントドア
１５  リアドア
１６  前列シート
１７  後列シート
１８  フロントピラー
１９  センタピラー
２０、２１  サイドシル
２２、２３  フロントフレーム
２４  フロアパネル
２５  ダッシュボードロア
２６、２７  フロントホイールハウス
３０  燃料タンク
３１  給油口
３２  燃料フィラーパイプ
【図１】
2009083823.tif 000003
【図２】
2009083823.tif 000004